(57)【要約】【課題】  レンジフード部品の表面を油が滑落し易いように改質する【解決手段】    本発明は、上記課題を解決すべく、加熱調理器の上方に設置され、油分を含んだ煙を屋外に排気するレンジフードであって、前記煙を吸引し排出するファンと、前記ファンを囲むケーシングと、前記ファンからオイルを回収するオイルパックへ至る油の流路となるベルマウスと、を備え、前記ファン、ケーシングまたはベルマウスの少なくとも一つが、その基材上に被覆部を形成され、前記被覆部は樹脂から形成され、前記樹脂は架橋部を有し、前記架橋部は前記樹脂の主剤に官能基と、前記樹脂に含まれる官能基に対し反応性を有する官能基を４以上含む架橋剤との架橋反応より形成されていることを特徴とするレンジフードを提供する。【選択図】  図１
2010025392.tif 000002
【特許請求の範囲】
【請求項１】
加熱調理器の上方に設置され、油分を含んだ煙を屋外に排気するレンジフードであって、
前記煙を吸引し排出するファンと、
前記ファンを囲むケーシングと、
前記ファンからオイルを回収するオイルパックへ至る油の流路となるベルマウスと、を備え、
前記ファン、ケーシングまたはベルマウスの少なくとも一つが、その基材上に被覆部を形成され、
前記被覆部は樹脂から形成され、前記樹脂は架橋部を有し、前記架橋部は前記樹脂の主剤に官能基と、前記樹脂に含まれる官能基に対し反応性を有する官能基を４以上含む架橋剤との架橋反応より形成されていることを特徴とするレンジフード。
【請求項２】
前記ケーシングおよびベルマウスが前記被覆膜によって覆われていることを特徴とする請求項１記載のレンジフード。
【請求項３】
前記ファン、ケーシングおよびベルマウスが前記被覆膜によって覆われていることを特徴とする請求項１記載のレンジフード。
【請求項４】
前記ケーシング、ベルマウスで平坦部をなくし、傾斜を設けたことを特徴とする請求項１記載のレンジフード。
【請求項５】
前記加熱調理器を止めた後のレンジフードのファンの運転時間を通常運転よりさらに長時間運転させることを特徴とするレンジフード。
【請求項６】
ファンの回転を通常運転より高速運転させることを特徴とする請求項５記載のレンジフード。
【発明の詳細な説明】
【技術分野】
【０００１】
本発明は、レンジフードに関する。 
【背景技術】
【０００２】
キッチンのレンジフードでは、油等の汚れがフィルター、ファンなどにこびりつき、清掃するのが大変で主婦にとって大きなストレスとなっている。また、レンジフードの清掃は、ファンを取り外す作業もあり、このため、専門の清掃業者に委託するケースもあるがこの費用は経済的負担となる。
【０００３】
このため、フィルターをなくしたレンジフードが商品化されているが、これはレンジフードが吸い込んだ油汚れをオイルパックに回収し、そのオイルパックに溜まった油汚れを廃棄するという手入れの簡単な構造となっている。（特許文献１参照）
また、キッチン部材表面にこびりついた油汚れを比較的容易に洗浄除去可能な耐油汚れ付着性を改善した表面に改質しているものもある。（特許文献２参照）
【０００４】
【特許文献１】特開平１１−１５９８２３
【特許文献２】特開２００５−２７２６７７
【発明の開示】
【発明が解決しようとする課題】
【０００５】
上記文献１に記載されているレンジフードでは、これまで手入れのし難かったフィルターをなくしたことで、お客様から高い評価をいただいている。
【０００６】
ただし、一部のお客様から「オイルパックに油が落ちてこない。」と言う声も寄せられ、レンジフードの内部に油汚れが付着し、また、油汚れが目立つため、清潔志向の強い方はレンジフード部品を外して頻繁に清掃しており、まだ、改良すべき点もある。
【０００７】
これは、レンジフード部品に油が付着しにくいフッ素塗装を施しているものの、フッ素塗装では油の滑落性が充分でない。また、レンジフード部品に平坦部があり、または、傾斜が不充分であるため、油が滑落しにくい構造となっている。さらに、調理が終わり、コンロを止めた際、レンジフードの運転が短時間で停止してしまうため、ケーシング内の送風がなくなり、油が流れにくくなっている。
【０００８】
また、上記文献２ではこびりついた油汚れを比較的容易に洗浄除去可能な耐油汚れ付着性を改善した表面に改質することが示されているが、清潔志向の強い方はレンジフード部品を外して頻繁に清掃することを強いられており、これは相当な負担である。
【０００９】
そこで、本発明の目的は、レンジフード部品を外して頻繁に清掃している現状から開放するため、レンジフードの内部の油汚れの付着を抑制し、その多くをオイルパックに回収し、手入れの簡単なレンジフードを提供することにある。
【課題を解決するための手段】
【００１０】
本発明の一態様によれば、加熱調理器の上方に設置され、油分を含んだ煙を屋外に排気するレンジフードであって、前記煙を吸引し排出するファンと、前記ファンを囲むケーシングと、前記ファンからオイルを回収するオイルパックへ至る油の流路となるベルマウスと、を備え、前記ファン、ケーシングまたはベルマウスの少なくとも一つが、その基材上に被覆部を形成され、前記被覆部は樹脂から形成され、前記樹脂は架橋部を有し、前記架橋部は前記樹脂の主剤に官能基と、前記樹脂に含まれる官能基に対し反応性を有する官能基を４以上含む架橋剤との架橋反応より形成されていることを特徴とするレンジフードを提供する。
【発明の効果】
【００１１】
本発明によれば、レンジフード部品の表面を油が滑落し易いように改質され、油の多くをオイルパックに回収し、手入れの簡単なレンジフードを提供することが可能となる。
【発明を実施するための最良の形態】
【００１２】
以下、図面を参照しつつ、本発明の実施形態について説明をする。
【００１３】
図１は、本発明の一態様を示すレンジフード１０の概略図である。また、図２にレンジフードの構造及び油煙の捕集からオイルパック１への回収機構を示している。図３はレンジフードの模式図である。図４はベルマウスの形状の例を示す図である。
【００１４】
図１に示すようにレンジフード１０は加熱調理器はから約８００ｍｍの高さに設置される。
油煙の捕集にあたっては、図２、図３に示すように、具体的にはシロッコファン２が回転し、油煙を吸引する。その際、整流板９によるすき間風現象で下から吸い込む能力が向上する。シロッコファン２まで吸引された油煙は一部が排気ダクト（図示せず）へそのまま排気されるが大部分はケーシング３の側壁にぶつかり、油滴となり、ベルマウス４へと流れ込み、さらに、そのベルマウス４からオイルパック１へ油滴が流れ込み、回収される。
【００１５】
ここで、レンジフード部品基材表面に油の滑落性に優れた樹脂を被覆することで、レンジフード部品に油汚れが付着したままとならず、オイルパック１へと回収され、そのオイルパックに１溜まった油を廃棄すればよく、清掃性が向上する。
【００１６】
レンジフード部品の断面図を図５に示す。断面を拡大して示す。本発明の一態様としてはレンジフード部品基材として亜鉛めっき鋼板７上に被覆部８が形成されている。
【００１７】
この油の滑落性に優れた被覆部８の樹脂としては、アクリル等の樹脂にポリジメチルシリコーン基等のシリコーン基やパーフルオロアルキル基等の含フッ素基を有するこのが挙げられる。また、この樹脂には架橋部を含むことで、レンジフードとしての耐洗剤性や硬度が保たれる。特に架橋部を形成する架橋剤の官能基数が４以上であることで充分に被覆部の樹脂の架橋密度が高くなる。  架橋密度が高くなると、レンジフードとしての品質も満足しながら、油汚れ成分が膜中に浸入しにくくなることで、長期の油の滑落性が達成される。架橋剤としては、フェノール樹脂やエポキシ樹脂、アミノ樹脂、イソシアネート等が挙げられる。
【００１８】
レンジフードを構成する部品は前記のファン２、ケーシング３、ベルマウス４以外にもファンボックス外郭、オイルパネル、オイルパック受け板、オイルパック１、整流板９があるが、ファンが吸引した油煙が油滴となり、オイルパック１へと回収する流路にはケーシング３、ベルマウス４で構成される。このため、レンジフードを構成する部品の中でオイルパック１への回収にファン２、ケーシング３、ベルマウス４が極めて重要な役割を果たしており、このいずれかに本発明の樹脂を被覆することで油のオイルパックへの回収を向上させることが可能となる。
【００１９】
また、ファン２は複雑形状をしているので、油汚れが付着し易く、また、清掃しにくいレンジフード部品の一つである。そこに本発明の樹脂を被覆することで付着した油がファンを囲むケーシング２、ベルマウス４に落ち、最終的にオイルパックへ流れ込み、回収することができ、ファンの清掃性も向上する。
【００２０】
レンジフード部品基材のケーシング、ベルマウスに本発明の樹脂を被覆すると、ファン２で吸引した油煙をケーシング３壁部に弾き飛ばして油滴化し、その油滴はベルマウス４に流れ込み、その後、オイルパック１へ流れ込み、回収する構造となっているため、ケーシング３、ベルマウス４に本発明の樹脂を被覆することで油のオイルパック１への回収をさらに向上させることが可能となる。
【００２１】
また、好ましくはレンジフード部品基材のファン２、ケーシング３、ベルマウス４全てに本発明の樹脂を被覆する。オイルパック１への回収する流路となるファン２、ケーシング３、ベルマウス４は重要な役割を果たしており、ファン、ケーシング、ベルマウス全てに本発明の樹脂を被覆することで油のオイルパックへの回収を飛躍的に向上させることが可能となる。
【００２２】
レンジフード部品に被覆される樹脂が、油の滑落性に優れた樹脂であってもオイルパック１へ至る油の流路にあたるケーシング３、ベルマウス４で平坦部があると、油が滑落し難く、流れがゆっくりになる。そこで、レンジフード部品のオイルパック１へ至る油の流路にあたるケーシング３の底部３１やベルマウス４で平坦部をなくし、傾斜を設け、油が滑落し易いような構造とする。図６は図３に比べて、ケーシング底部３１、ベルマウスが平らに取り付けられていることを示す図である。
【００２３】
油が滑落し易いような構造として、好ましくは傾斜が５°以上、さらに好ましくは１０°以上、またさらに好ましくは２０°以上の傾斜を付けるとよい。
【００２４】
また、調理が終わり、加熱調理器（コンロ）を止めた後のレンジフードのファン２の運転時間が短いと、ケーシング３内及びベルマウス４内の送風がなくなり、油が流れにくくなる。そこで、調理が終わり、コンロを止めた後のレンジフードの運転を、油が滑落するのに十分な時間、ファン２を回転させることでケーシング３内及びベルマウス４内に存在する油汚れをオイルパックに回収することができる。この運転時間は好ましくは５分以上、さらに好ましくは１０分以上運転するとよい。
【００２５】
また、調理後のファンの回転を通常運転より高速運転させるとよい。調理が終わり、コンロを止めた後でも直ぐにレンジフードの運転を停止せず、ファンを一定時間、回転させる際にファン２の回転を通常運転より高速運転させることでケーシング３内及びベルマウス４内の送風量を増大させ、ケーシング３内及びベルマウス４内に存在する油汚れを速やかに、且つ多くの油滴をオイルパック１に回収することができる。
【００２６】
こうした、ファン２の運転時間の延長や回転を高速運転する方法としては、お手入れモードボタンを設け、このボタンを押すことで、所定の時間、回転が延長または高速運転するようにするとよい。
【００２７】
以下、実施例を挙げて、本発明をより具体的に説明する。
【００２８】
実施例の評価の方法として、テストピースを用いての油滑落性評価（滑落角）と、レンジフードを用いてBLのフィルターの油捕集試験に準拠したレンジフード油捕集試験にて油滴の捕集率の測定と、フード内油防汚清掃性評価（フード内油付着性）と、を行った。
【００２９】
（評価方法）
油滑落性評価は協和界面科学製自動接触角計ＤＭ５００を用いて測定した。
【００３０】
油はオレイン酸を用い、油滴滴下量は１５μＬとした。
【００３１】
表２に実施例、比較例のテストピースの油の滑落角を示す。なお、滑落角は後退部滑落角を示している。
【００３２】
レンジフードを用いてのBLのフィルターの油捕集試験に準拠したレンジフード油捕集試験では、図１に示すように加熱調理器を壁から約３８０ｍｍ離し、レンジフードは加熱調理器から約８００ｍｍの高さに設けた。
【００３３】
レンジフード部品の測定対象物（整流板、オイルパック、油受けカバー、ベルマウス、ファン（ツマミ含む）、ケーシング、オイルパネル、排気口）の重量を試験前に測定する。レンジフード部品以外に、油煙発生用のサラダ油、水（上水）、ホットプレートの重量も測定する。
【００３４】
チューブポンプで水（上水）とサラダ油をそれぞれ水（上水）；７．６〜８．０ｇ／分、サラダ油；４．６〜５．０ｇ／２分、２５０℃に熱したホットプレートに滴下し、油煙を発生させ、その油煙をレンジフードで吸引する。レンジフードのファンは強運転するが、試験を行う部屋から屋外まで距離があり、実際の家庭と条件が異ならないように、排気ダクトの中間部に補助的に吸引装置を設け、ダクト内の風量を４２０ｍ３/Ｈに設定する。レンジフードのファンの運転時間は６０分間で、その後、チューブポンプ及びホットプレートを停止（油煙発生停止）するがその後もファンを強運転のまま、５分間運転し、ファンを停止する。ファンを停止後、１２０分間放置する。放置後、試験前に測定したレンジフード部品（整流板、オイルパック、油受けカバー、ベルマウス、ファン（ツマミ含む）、ケーシング、オイルパネル、排気口）及び、油煙発生用のサラダ油、水（上水）、ホットプレートとホットプレートからレンジフードで吸引できずに飛散した油の重量を測定する。レンジフード部品（整流板、オイルパック、油受けカバー、ベルマウス、ファン（ツマミ含む）、ケーシング、オイルパネル、排気口）の油捕集率を算出する。一例を表１に示す。
【００３５】
【表１】
2010025392.tif 000003
【００３６】
また、ファン、ケーシング、ベルマウスのフード内の油付着性を目視にて確認し、表２に示した。
【実施例】
【００３７】
（実施例１）
評価サンプルとして、テストピースとレンジフードを用いた。テストピース（サイズ：１００×１００×ｔ１mm）はレンジフード部品を想定した、亜鉛めっき鋼板を用いて評価を行った。レンジフードはＴＯＴＯ（株）製のスーパークリーンフード（品番：ＫＬＫＲ１９０ＳＡＢ）を用いた。
【００３８】
本実施例での被覆部としては、次に挙げる樹脂と架橋剤とを備えている。
樹脂として、水酸基およびシリコーン基を備える、アクリルシリコーン樹脂（固形分４５重量％）を用いた。
【００３９】
架橋剤として、１分子中に官能基を６つ有する基本構造を持つ、官能基数６の完全アルキル型メチル化メラミン（固形分１００％）を用いた。すなわち、架橋剤全体平均においても官能基数は６つである。
【００４０】
触媒として芳香族スルフォン酸を用いた。
【００４１】
酢酸ブチルにて希釈した樹脂に架橋剤を樹脂固形分に対する架橋剤固形分の比で０．５、及び触媒を架橋剤の１重量％添加し、攪拌機を用いて攪拌混合した。得られた溶液を基材上にフローコート法にて塗布し、室温で乾燥させた後、160℃で30分熱処理を行い複合材を得た。
【００４２】
被覆するレンジフード部品はファン、ケーシング、ベルマウスとする。サンプル基材上への被覆部の形成方法としては、テストピースは、コーティング液を、例えばディッピング法、スピンコート法、スプレー法、印刷法、フローコート法、ロールコート法並びにこれらの併用等、既知の塗布手段を適宜採用することができる。
【００４３】
レンジフード部品はディッピング法、スプレー法を採用することができる。
【００４４】
（実施例２）
架橋剤の添加量を樹脂固形分に対する架橋剤固形分の比で０．３３にした以外は実施例１と同様にして複合材を得た。なお、評価サンプルは実施例１と同様にテストピースとレンジフードを用いた。
【００４５】
（実施例３）
架橋剤を変更し、触媒を使用しなかったこと以外は実施例１と同様にして複合材を得た。
【００４６】
架橋剤に、１分子中に官能基を６つ有する基本構造を持つ、官能基数６のメチロール基型メラミン（固形分８８％）を用いた。すなわち、架橋剤全体平均においても官能基数は６つである。
【００４７】
上記架橋剤であるメチロール基型メラミンの添加量を樹脂固形分に対する架橋剤固形分の比で０．５０用い、触媒を使用しないこと以外は実施例１と同様にして複合材を得た。尚、評価サンプルは実施例１と同様にテストピースとレンジフードを用いた。
【００４８】
（実施例４）
架橋剤の添加量を樹脂固形分に対する架橋剤固形分の比で０．３３にした以外は実施例３と同様にして複合材を得た。なお、評価サンプルは実施例１と同様にテストピースとレンジフードを用いた。
【００４９】
（実施例５）
架橋剤を変更し、触媒を使用しなかったこと以外は実施例１と同様にして複合材を得た。
【００５０】
架橋剤を１分子中に官能基を６つ有する基本構造を持つ、官能基数６のイミノ基型（メチル化基とイミノ基を有する）メラミン（固形分８０％）を用いた。すなわち、架橋剤全体平均においても官能基数は６つである。
【００５１】
上記架橋剤であるイミノ基型メラミンの添加量を樹脂固形分に対する架橋剤固形分の比で０．５０用い、触媒を使用しないこと以外は実施例１と同様にして複合材を得た。なお、評価サンプルは実施例１と同様にテストピースとレンジフードを用いた。
【００５２】
（実施例６）
架橋剤の添加量を樹脂固形分に対する架橋剤固形分の比で０．３３にした以外は実施例５と同様にして複合材を得た。なお、評価サンプルは実施例１と同様にテストピースとレンジフードを用いた。
【００５３】
（実施例７）
架橋剤を変更し、触媒を使用しなかったこと以外は実施例１と同様にして複合材を得た。
【００５４】
架橋剤を１分子中に官能基を６つ有する基本構造を持つ、官能基数６のイミノ基型（ブチル化基とイミノ基を有する）メラミン（固形分８０％）を用いた。すなわち、架橋剤全体平均においても官能基数は６つである。
【００５５】
上記架橋剤であるイミノ基化メラミンの添加量を樹脂固形分に対する架橋剤固形分の比で０．５０用い、触媒を使用しないこと以外は実施例１と同様にして複合材を得た。なお、評価サンプルは実施例１と同様にテストピースとレンジフードを用いた。
【００５６】
（実施例８）
架橋剤の添加量を樹脂固形分に対する架橋剤固形分の比で０．３３にした以外は実施例７と同様にして複合材を得た。なお、評価サンプルは実施例１と同様にテストピースとレンジフードを用いた。
【００５７】
（実施例９）
架橋剤を変更したこと以外は実施例１と同様にして複合材を得た。
【００５８】
架橋剤を１分子中に官能基を６つ有する基本構造を持つ、官能基数６の完全アルキル化型ブチル化メラミン（固形分１００％）を用いた。すなわち、架橋剤全体平均においても官能基数は６つである。
【００５９】
上記架橋剤であるブチル化メラミンを用いたこと以外は実施例１と同様にして複合材を得た。なお、評価サンプルは実施例１と同様にテストピースとレンジフードを用いた。
【００６０】
（実施例１０）
架橋剤の添加量を樹脂固形分に対する架橋剤固形分の比で０．３３にした以外は実施例９と同様にして複合材を得た。なお、評価サンプルは実施例１と同様にテストピースとレンジフードを用いた。
【００６１】
（実施例１１）
評価サンプルはレンジフードで、実施例１と同様の油の滑落性に優れた樹脂で被覆するレンジフード部品はファンのみとし、ケーシング、ベルマウスはＴＯＴＯ（株）製のスーパークリーンフード（品番：ＫＬＫＲ１９０ＳＡＢ）部品に塗装しているフッ素塗装を施したものを用いた。（以下、フッ素塗装については同じである。）
【００６２】
（実施例１２）
評価サンプルはレンジフードで、実施例２と同様の油の滑落性に優れた樹脂で被覆するレンジフード部品はファンのみとし、ケーシング、ベルマウスはフッ素塗装を施したものを用いた。
【００６３】
（実施例１３）
評価サンプルはレンジフードで、実施例３と同様の油の滑落性に優れた樹脂で被覆するレンジフード部品はファンのみとし、ケーシング、ベルマウスはフッ素塗装を施したものを用いた。
【００６４】
（実施例１４）
評価サンプルはレンジフードで、実施例４と同様の油の滑落性に優れた樹脂で被覆するレンジフード部品はファンのみとし、ケーシング、ベルマウスはフッ素塗装を施したものを用いた。
【００６５】
（実施例１５）
評価サンプルはレンジフードで、実施例５と同様の油の滑落性に優れた樹脂で被覆するレンジフード部品はファンのみとし、ケーシング、ベルマウスはフッ素塗装を施したものを用いた。
【００６６】
（実施例１６）
評価サンプルはレンジフードで、実施例６と同様の油の滑落性に優れた樹脂で被覆するレンジフード部品はファンのみとし、ケーシング、ベルマウスはフッ素塗装を施したものを用いた。
【００６７】
（実施例１７）
評価サンプルはレンジフードで、実施例７と同様の油の滑落性に優れた樹脂で被覆するレンジフード部品はファンのみとし、ケーシング、ベルマウスはフッ素塗装を施したものを用いた。
【００６８】
（実施例１８）
評価サンプルはレンジフードで、実施例８と同様の油の滑落性に優れた樹脂で被覆するレンジフード部品はファンのみとし、ケーシング、ベルマウスはフッ素塗装を施したものを用いた。
【００６９】
（実施例１９）
評価サンプルはレンジフードで、実施例９と同様の油の滑落性に優れた樹脂で被覆するレンジフード部品はファンのみとし、ケーシング、ベルマウスはフッ素塗装を施したものを用いた。
【００７０】
（実施例２０）
評価サンプルはレンジフードで、実施例１０と同様の油の滑落性に優れた樹脂で被覆するレンジフード部品はファンのみとし、ケーシング、ベルマウスはフッ素塗装を施したものを用いた。
【００７１】
（実施例２１）
評価サンプルはレンジフードで、実施例１と同様の油の滑落性に優れた樹脂で被覆するレンジフード部品はケーシングのみとし、ファン、ベルマウスはフッ素塗装を施したものを用いた。
【００７２】
（実施例２２）
評価サンプルはレンジフードで、実施例２と同様の油の滑落性に優れた樹脂で被覆するレンジフード部品はケーシングのみとし、ファン、ベルマウスはフッ素塗装を施したものを用いた。
【００７３】
（実施例２３）
評価サンプルはレンジフードで、実施例３と同様の油の滑落性に優れた樹脂で被覆するレンジフード部品はケーシングのみとし、ファン、ベルマウスはフッ素塗装を施したものを用いた。
【００７４】
（実施例２４）
評価サンプルはレンジフードで、実施例４と同様の油の滑落性に優れた樹脂で被覆するレンジフード部品はケーシングのみとし、ファン、ベルマウスはフッ素塗装を施したものを用いた。
【００７５】
（実施例２５）
評価サンプルはレンジフードで、実施例５と同様の油の滑落性に優れた樹脂で被覆するレンジフード部品はケーシングのみとし、ファン、ベルマウスはフッ素塗装を施したものを用いた。
【００７６】
（実施例２６）
評価サンプルはレンジフードで、実施例６と同様の油の滑落性に優れた樹脂で被覆するレンジフード部品はケーシングのみとし、ファン、ベルマウスはフッ素塗装を施したものを用いた。
【００７７】
（実施例２７）
評価サンプルはレンジフードで、実施例７と同様の油の滑落性に優れた樹脂で被覆するレンジフード部品はケーシングのみとし、ファン、ベルマウスはフッ素塗装を施したものを用いた。
【００７８】
（実施例２８）
評価サンプルはレンジフードで、実施例８と同様の油の滑落性に優れた樹脂で被覆するレンジフード部品はケーシングのみとし、ファン、ベルマウスはフッ素塗装を施したものを用いた。
【００７９】
（実施例２９）
評価サンプルはレンジフードで、実施例９と同様の油の滑落性に優れた樹脂で被覆するレンジフード部品はケーシングのみとし、ファン、ベルマウスはフッ素塗装を施したものを用いた。
【００８０】
（実施例３０）
評価サンプルはレンジフードで、実施例１０と同様の油の滑落性に優れた樹脂で被覆するレンジフード部品はケーシングのみとし、ファン、ベルマウスはフッ素塗装を施したものを用いた。
【００８１】
（実施例３１）
評価サンプルはレンジフードで、実施例１と同様の油の滑落性に優れた樹脂で被覆するレンジフード部品はベルマウスのみとし、ファン、ケーシングはフッ素塗装を施したものを用いた。
【００８２】
（実施例３２）
評価サンプルはレンジフードで、実施例２と同様の油の滑落性に優れた樹脂で被覆するレンジフード部品はベルマウスのみとし、ファン、ケーシングはフッ素塗装を施したものを用いた。
【００８３】
（実施例３３）
評価サンプルはレンジフードで、実施例３と同様の油の滑落性に優れた樹脂で被覆するレンジフード部品はベルマウスのみとし、ファン、ケーシングはフッ素塗装を施したものを用いた。
【００８４】
（実施例３４）
評価サンプルはレンジフードで、実施例４と同様の油の滑落性に優れた樹脂で被覆するレンジフード部品はベルマウスのみとし、ファン、ケーシングはフッ素塗装を施したものを用いた。
【００８５】
（実施例３５）
評価サンプルはレンジフードで、実施例５と同様の油の滑落性に優れた樹脂で被覆するレンジフード部品はベルマウスのみとし、ファン、ケーシングはフッ素塗装を施したものを用いた。
【００８６】
（実施例３６）
評価サンプルはレンジフードで、実施例６と同様の油の滑落性に優れた樹脂で被覆するレンジフード部品はベルマウスのみとし、ファン、ケーシングはフッ素塗装を施したものを用いた。
【００８７】
（実施例３７）
評価サンプルはレンジフードで、実施例７と同様の油の滑落性に優れた樹脂で被覆するレンジフード部品はベルマウスのみとし、ファン、ケーシングはフッ素塗装を施したものを用いた。
【００８８】
（実施例３８）
評価サンプルはレンジフードで、実施例８と同様の油の滑落性に優れた樹脂で被覆するレンジフード部品はベルマウスのみとし、ファン、ケーシングはフッ素塗装を施したものを用いた。
【００８９】
（実施例３９）
評価サンプルはレンジフードで、実施例９と同様の油の滑落性に優れた樹脂で被覆するレンジフード部品はベルマウスのみとし、ファン、ケーシングはフッ素塗装を施したものを用いた。
【００９０】
（実施例４０）
評価サンプルはレンジフードで、実施例１０と同様の油の滑落性に優れた樹脂で被覆するレンジフード部品はベルマウスのみとし、ファン、ケーシングはフッ素塗装を施したものを用いた。
【００９１】
（実施例４１）
評価サンプルはレンジフードで、実施例１と同様の油の滑落性に優れた樹脂で被覆するレンジフード部品はケーシング、ベルマウスとし、ファンはフッ素塗装を施したものを用いた。
【００９２】
（実施例４２）
評価サンプルはレンジフードで、実施例２と同様の油の滑落性に優れた樹脂で被覆するレンジフード部品はケーシング、ベルマウスとし、ファンはフッ素塗装を施したものを用いた。
【００９３】
（実施例４３）
評価サンプルはレンジフードで、実施例３と同様の油の滑落性に優れた樹脂で被覆するレンジフード部品はケーシング、ベルマウスとし、ファンはフッ素塗装を施したものを用いた。
【００９４】
（実施例４４）
評価サンプルはレンジフードで、実施例４と同様の油の滑落性に優れた樹脂で被覆するレンジフード部品はケーシング、ベルマウスとし、ファンはフッ素塗装を施したものを用いた。
【００９５】
（実施例４５）
評価サンプルはレンジフードで、実施例５と同様の油の滑落性に優れた樹脂で被覆するレンジフード部品はケーシング、ベルマウスとし、ファンはフッ素塗装を施したものを用いた。
【００９６】
（実施例４６）
評価サンプルはレンジフードで、実施例６と同様の油の滑落性に優れた樹脂で被覆するレンジフード部品はケーシング、ベルマウスとし、ファンはフッ素塗装を施したものを用いた。
【００９７】
（実施例４７）
評価サンプルはレンジフードで、実施例７と同様の油の滑落性に優れた樹脂で被覆するレンジフード部品はケーシング、ベルマウスとし、ファンはフッ素塗装を施したものを用いた。
【００９８】
（実施例４８）
評価サンプルはレンジフードで、実施例８と同様の油の滑落性に優れた樹脂で被覆するレンジフード部品はケーシング、ベルマウスとし、ファンはフッ素塗装を施したものを用いた。
【００９９】
（実施例４９）
評価サンプルはレンジフードで、実施例９と同様の油の滑落性に優れた樹脂で被覆するレンジフード部品はケーシング、ベルマウスとし、ファンはフッ素塗装を施したものを用いた。
【０１００】
（実施例５０）
評価サンプルはレンジフードで、実施例１０と同様の油の滑落性に優れた樹脂で被覆するレンジフード部品はケーシング、ベルマウスとし、ファンはフッ素塗装を施したものを用いた。
【０１０１】
（実施例５１）
評価サンプルはレンジフードで、実施例１と同様の油の滑落性に優れた樹脂で被覆するレンジフード部品はファン、ケーシングとし、ベルマウスはフッ素塗装を施したものを用いた。
【０１０２】
（実施例５２）
評価サンプルはレンジフードで、実施例２と同様の油の滑落性に優れた樹脂で被覆するレンジフード部品はファン、ケーシングとし、ベルマウスはフッ素塗装を施したものを用いた。
【０１０３】
（実施例５３）
評価サンプルはレンジフードで、実施例３と同様の油の滑落性に優れた樹脂で被覆するレンジフード部品はファン、ケーシングとし、ベルマウスはフッ素塗装を施したものを用いた。
【０１０４】
（実施例５４）
評価サンプルはレンジフードで、実施例４と同様の油の滑落性に優れた樹脂で被覆するレンジフード部品はファン、ケーシングとし、ベルマウスはフッ素塗装を施したものを用いた。
【０１０５】
（実施例５５）
評価サンプルはレンジフードで、実施例５と同様の油の滑落性に優れた樹脂で被覆するレンジフード部品はファン、ケーシングとし、ベルマウスはフッ素塗装を施したものを用いた。
【０１０６】
（実施例５６）
評価サンプルはレンジフードで、実施例６と同様の油の滑落性に優れた樹脂で被覆するレンジフード部品はファン、ケーシングとし、ベルマウスはフッ素塗装を施したものを用いた。
【０１０７】
（実施例５７）
評価サンプルはレンジフードで、実施例７と同様の油の滑落性に優れた樹脂で被覆するレンジフード部品はファン、ケーシングとし、ベルマウスはフッ素塗装を施したものを用いた。
【０１０８】
（実施例５８）
評価サンプルはレンジフードで、実施例８と同様の油の滑落性に優れた樹脂で被覆するレンジフード部品はファン、ケーシングとし、ベルマウスはフッ素塗装を施したものを用いた。
【０１０９】
（実施例５９）
評価サンプルはレンジフードで、実施例９と同様の油の滑落性に優れた樹脂で被覆するレンジフード部品はファン、ケーシングとし、ベルマウスはフッ素塗装を施したものを用いた。
【０１１０】
（実施例６０）
評価サンプルはレンジフードで、実施例１０と同様の油の滑落性に優れた樹脂で被覆するレンジフード部品はファン、ケーシングとし、ベルマウスはフッ素塗装を施したものを用いた。
【０１１１】
（実施例６１）
評価サンプルはレンジフードで、実施例１と同様の油の滑落性に優れた樹脂で被覆するレンジフード部品はファン、ベルマウスとし、ケーシングはフッ素塗装を施したものを用いた。
【０１１２】
（実施例６２）
評価サンプルはレンジフードで、実施例２と同様の油の滑落性に優れた樹脂で被覆するレンジフード部品はファン、ベルマウスとし、ケーシングはフッ素塗装を施したものを用いた。
【０１１３】
（実施例６３）
評価サンプルはレンジフードで、実施例３と同様の油の滑落性に優れた樹脂で被覆するレンジフード部品はファン、ベルマウスとし、ケーシングはフッ素塗装を施したものを用いた。
【０１１４】
（実施例６４）
評価サンプルはレンジフードで、実施例４と同様の油の滑落性に優れた樹脂で被覆するレンジフード部品はファン、ベルマウスとし、ケーシングはフッ素塗装を施したものを用いた。
【０１１５】
（実施例６５）
評価サンプルはレンジフードで、実施例５と同様の油の滑落性に優れた樹脂で被覆するレンジフード部品はファン、ベルマウスとし、ケーシングはフッ素塗装を施したものを用いた。
【０１１６】
（実施例６６）
評価サンプルはレンジフードで、実施例６と同様の油の滑落性に優れた樹脂で被覆するレンジフード部品はファン、ベルマウスとし、ケーシングはフッ素塗装を施したものを用いた。
【０１１７】
（実施例６７）
評価サンプルはレンジフードで、実施例７と同様の油の滑落性に優れた樹脂で被覆するレンジフード部品はファン、ベルマウスとし、ケーシングはフッ素塗装を施したものを用いた。
【０１１８】
（実施例６８）
評価サンプルはレンジフードで、実施例８と同様の油の滑落性に優れた樹脂で被覆するレンジフード部品はファン、ベルマウスとし、ケーシングはフッ素塗装を施したものを用いた。
【０１１９】
（実施例６９）
評価サンプルはレンジフードで、実施例９と同様の油の滑落性に優れた樹脂で被覆するレンジフード部品はファン、ベルマウスとし、ケーシングはフッ素塗装を施したものを用いた。
【０１２０】
（実施例７０）
評価サンプルはレンジフードで、実施例１０と同様の油の滑落性に優れた樹脂で被覆するレンジフード部品はファン、ベルマウスとし、ケーシングはフッ素塗装を施したものを用いた。
【０１２１】
（実施例７１）
レンジフード部品のケーシングの底部に傾斜を施したケーシング基材に実施例１と同様の被覆したケーシングを組み込んだレンジフードをサンプルに供した。このときの傾斜角は５°とした。なお、評価サンプルはレンジフードで、ケーシング以外は実施例１と同様のレンジフード部品を用いた。
【０１２２】
（実施例７２）
レンジフード部品のケーシングの底部に傾斜を施したケーシング基材に実施例１と同様の被覆したケーシングを組み込んだレンジフードをサンプルに供した。このときの傾斜角は１０°とした。なお、評価サンプルはレンジフードで、ケーシング以外は実施例１と同様のレンジフード部品を用いた。
【０１２３】
（実施例７３）
レンジフード部品のケーシングの底部に傾斜を施したケーシング基材に実施例１と同様の被覆したケーシングを組み込んだレンジフードをサンプルに供した。このときの傾斜角は２０°とした。なお、評価サンプルはレンジフードで、ケーシング以外は実施例１と同様のレンジフード部品を用いた。
【０１２４】
（実施例７４）
レンジフード部品のベルマウスの溝にオイルパックへと通ずる穴に向かって傾斜を施したベルマウス基材に実施例１と同様の被覆したケーシングを組み込んだレンジフードをサンプルに供した。このときの傾斜角は５°とした。なお、評価サンプルはレンジフードで、ベルマウス以外は実施例１と同様のレンジフード部品を用いた。
【０１２５】
（実施例７５）
レンジフード部品のベルマウスの溝にオイルパックへと通ずる穴に向かって傾斜を施したベルマウス基材に実施例１と同様の被覆したケーシングを組み込んだレンジフードをサンプルに供した。このときの傾斜角は１０°とした。なお、評価サンプルはレンジフードで、ベルマウス以外は実施例１と同様のレンジフード部品を用いた。
【０１２６】
（実施例７６）
レンジフード部品のベルマウスの溝にオイルパックへと通ずる穴に向かって傾斜を施したベルマウス基材に実施例１と同様の被覆したケーシングを組み込んだレンジフードをサンプルに供した。このときの傾斜角は２０°とした。なお、評価サンプルはレンジフードで、ベルマウス以外は実施例１と同様のレンジフード部品を用いた。
【０１２７】
（実施例７７）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部とベルマウスの溝（オイルパックへと通ずる穴に向かっての傾斜）ともに５°とした。なお、評価サンプルはレンジフードで、ベルマウス以外は実施例１と同様のレンジフード部品を用いた。
【０１２８】
（実施例７８）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部とベルマウスの溝（オイルパックへと通ずる穴に向かっての傾斜）ともに１０°とした。なお、評価サンプルはレンジフードで、ケーシング、ベルマウス以外は実施例１と同様のレンジフード部品を用いた。
【０１２９】
（実施例７９）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部とベルマウスの溝（オイルパックへと通ずる穴に向かっての傾斜）ともに２０°とした。なお、評価サンプルはレンジフードで、ケーシング、ベルマウス以外は実施例１と同様のレンジフード部品を用いた。
【０１３０】
（実施例８０）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部は５°、ベルマウスのは溝（オイルパックへと通ずる穴に向かっての傾斜）は１０°とした。なお、評価サンプルはレンジフードで、ケーシング、ベルマウス以外は実施例１と同様のレンジフード部品を用いた。
【０１３１】
（実施例８１）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部は５°、ベルマウスの溝（オイルパックへと通ずる穴に向かっての傾斜）は２０°とした。なお、評価サンプルはレンジフードで、ケーシング、ベルマウス以外は実施例１と同様のレンジフード部品を用いた。
【０１３２】
（実施例８２）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部は１０°、ベルマウスの溝（オイルパックへと通ずる穴に向かっての傾斜）は５°とした。なお、評価サンプルはレンジフードで、ケーシング、ベルマウス以外は実施例１と同様のレンジフード部品を用いた。
【０１３３】
（実施例８３）
レンジフード部品のケーシングの底部とベルマウスの溝にオイルパックへと通ずる穴に向かって傾斜を施したレンジフード部品基材に実施例１と同様の被覆したレンジフード部品を組み込んだレンジフードをサンプルに供した。このときの傾斜角はケーシングの底部は１０°、ベルマウスの溝（オイルパックへと通ずる穴に向かっての傾斜）は２０°とした。なお、評価サンプルはレンジフードで、ケーシング、ベルマウス以外は実施例１と同様のレンジフード部品を用いた。
【０１３４】
（実施例８４）
レンジフード部品のケーシングの底部とベルマウスの溝にオイルパックへと通ずる穴に向かって傾斜を施したレンジフード基材に実施例１と同様の被覆したレンジフード部品を組み込んだレンジフードをサンプルに供した。このときの傾斜角はケーシングの底部は２０°、ベルマウスの溝（オイルパックへと通ずる穴に向かっての傾斜）は５°とした。なお、評価サンプルはレンジフードで、ケーシング、ベルマウス以外は実施例１と同様のレンジフード部品を用いた。
【０１３５】
（実施例８５）
レンジフード部品のケーシングの底部とベルマウスの溝にオイルパックへと通ずる穴に向かって傾斜を施したレンジフード部品に実施例１と同様の被覆したレンジフード部品を組み込んだレンジフードをサンプルに供した。このときの傾斜角はケーシングの底部は２０°、ベルマウスの溝（オイルパックへと通ずる穴に向かっての傾斜）は１０°とした。なお、評価サンプルはレンジフードで、ケーシング、ベルマウス以外は実施例１と同様のレンジフード部品を用いた。
【０１３６】
（実施例８６）
調理が終わり、コンロを止めた後のレンジフードの運転を通常より、長時間、ファンを回転させた。このときの運転時間は５分とした。なお、評価サンプルはレンジフードで、実施例１と同様のレンジフード部品を用いた。
【０１３７】
（実施例８７）
調理が終わり、コンロを止めた後のレンジフードの運転を通常より、長時間、ファンを回転させた。このときの運転時間は１０分とした。なお、評価サンプルはレンジフードで、実施例１と同様のレンジフード部品を用いた。
【０１３８】
（実施例８８）
調理が終わり、コンロを止めた後のレンジフードの運転を通常より、長時間、ファンを回転させた。このときの運転時間は５分とした。なお、評価サンプルはレンジフードで、実施例７１と同様のレンジフード部品を用いた。
【０１３９】
（実施例８９）
調理が終わり、コンロを止めた後のレンジフードの運転を通常より、長時間、ファンを回転させた。このときの運転時間は５分とした。なお、評価サンプルはレンジフードで、実施例７２と同様のレンジフード部品を用いた。
【０１４０】
（実施例９０）
調理が終わり、コンロを止めた後のレンジフードの運転を通常より、長時間、ファンを回転させた。このときの運転時間は５分とした。なお、評価サンプルはレンジフードで、実施例７３と同様のレンジフード部品を用いた。
【０１４１】
（実施例９１）
調理が終わり、コンロを止めた後のレンジフードの運転を通常より、長時間、ファンを回転させた。このときの運転時間は５分とした。なお、評価サンプルはレンジフードで、実施例７４と同様のレンジフード部品を用いた。
【０１４２】
（実施例９２）
調理が終わり、コンロを止めた後のレンジフードの運転を通常より、長時間、ファンを回転させた。このときの運転時間は５分とした。なお、評価サンプルはレンジフードで、実施例７５と同様のレンジフード部品を用いた。
【０１４３】
（実施例９３）
調理が終わり、コンロを止めた後のレンジフードの運転を通常より、長時間、ファンを回転させた。このときの運転時間は５分とした。なお、評価サンプルはレンジフードで、実施例７６と同様のレンジフード部品を用いた。
【０１４４】
（実施例９４）
調理が終わり、コンロを止めた後のレンジフードの運転を通常より、長時間、ファンを回転させた。このときの運転時間は５分とした。なお、評価サンプルはレンジフードで、実施例７７と同様のレンジフード部品を用いた。
【０１４５】
（実施例９５）
調理が終わり、コンロを止めた後のレンジフードの運転を通常より、長時間、ファンを回転させた。このときの運転時間は５分とした。なお、評価サンプルはレンジフードで、実施例７８と同様のレンジフード部品を用いた。
【０１４６】
（実施例９６）
調理が終わり、コンロを止めた後のレンジフードの運転を通常より、長時間、ファンを回転させた。このときの運転時間は５分とした。なお、評価サンプルはレンジフードで、実施例７９と同様のレンジフード部品を用いた。
【０１４７】
（実施例９７）
調理が終わり、コンロを止めた後のレンジフードの運転を通常より、長時間、ファンを回転させた。このときの運転時間は５分とした。なお、評価サンプルはレンジフードで、実施例８０と同様のレンジフード部品を用いた。
【０１４８】
（実施例９８）
調理が終わり、コンロを止めた後のレンジフードの運転を通常より、長時間、ファンを回転させた。このときの運転時間は５分とした。なお、評価サンプルはレンジフードで、実施例８１と同様のレンジフード部品を用いた。
【０１４９】
（実施例９９）
調理が終わり、コンロを止めた後のレンジフードの運転を通常より、長時間、ファンを回転させた。このときの運転時間は５分とした。なお、評価サンプルはレンジフードで、実施例８２と同様のレンジフード部品を用いた。
【０１５０】
（実施例１００）
調理が終わり、コンロを止めた後のレンジフードの運転を通常より、長時間、ファンを回転させた。このときの運転時間は５分とした。なお、評価サンプルはレンジフードで、実施例８３と同様のレンジフード部品を用いた。
【０１５１】
（実施例１０１）
調理が終わり、コンロを止めた後のレンジフードの運転を通常より、長時間、ファンを回転させた。このときの運転時間は５分とした。なお、評価サンプルはレンジフードで、実施例８４と同様のレンジフード部品を用いた。
【０１５２】
（実施例１０２）
調理が終わり、コンロを止めた後のレンジフードの運転を通常より、長時間、ファンを回転させた。このときの運転時間は５分とした。なお、評価サンプルはレンジフードで、実施例８５と同様のレンジフード部品を用いた。
【０１５３】
（実施例１０３）
調理が終わり、コンロを止めた後のレンジフードの運転を通常より、長時間、ファンを回転させた。このときの運転時間は１０分とした。なお、評価サンプルはレンジフードで、実施例７１と同様のレンジフード部品を用いた。
【０１５４】
（実施例１０４）
調理が終わり、コンロを止めた後のレンジフードの運転を通常より、長時間、ファンを回転させた。このときの運転時間は１０分とした。なお、評価サンプルはレンジフードで、実施例７２と同様のレンジフード部品を用いた。
【０１５５】
（実施例１０５）
調理が終わり、コンロを止めた後のレンジフードの運転を通常より、長時間、ファンを回転させた。このときの運転時間は１０分とした。なお、評価サンプルはレンジフードで、実施例７３と同様のレンジフード部品を用いた。
【０１５６】
（実施例１０６）
調理が終わり、コンロを止めた後のレンジフードの運転を通常より、長時間、ファンを回転させた。このときの運転時間は１０分とした。なお、評価サンプルはレンジフードで、実施例７４と同様のレンジフード部品を用いた。
【０１５７】
（実施例１０７）
調理が終わり、コンロを止めた後のレンジフードの運転を通常より、長時間、ファンを回転させた。このときの運転時間は１０分とした。なお、評価サンプルはレンジフードで、実施例７５と同様のレンジフード部品を用いた。
【０１５８】
（実施例１０８）
調理が終わり、コンロを止めた後のレンジフードの運転を通常より、長時間、ファンを回転させた。このときの運転時間は１０分とした。なお、評価サンプルはレンジフードで、実施例７６と同様のレンジフード部品を用いた。
【０１５９】
（実施例１０９）
調理が終わり、コンロを止めた後のレンジフードの運転を通常より、長時間、ファンを回転させた。このときの運転時間は１０分とした。なお、評価サンプルはレンジフードで、実施例７７と同様のレンジフード部品を用いた。
【０１６０】
（実施例１１０）
調理が終わり、コンロを止めた後のレンジフードの運転を通常より、長時間、ファンを回転させた。このときの運転時間は１０分とした。なお、評価サンプルはレンジフードで、実施例７８と同様のレンジフード部品を用いた。
【０１６１】
（実施例１１１）
調理が終わり、コンロを止めた後のレンジフードの運転を通常より、長時間、ファンを回転させた。このときの運転時間は１０分とした。なお、評価サンプルはレンジフードで、実施例７９と同様のレンジフード部品を用いた。
【０１６２】
（実施例１１２）
調理が終わり、コンロを止めた後のレンジフードの運転を通常より、長時間、ファンを回転させた。このときの運転時間は１０分とした。なお、評価サンプルはレンジフードで、実施例８０と同様のレンジフード部品を用いた。
【０１６３】
（実施例１１３）
調理が終わり、コンロを止めた後のレンジフードの運転を通常より、長時間、ファンを回転させた。このときの運転時間は１０分とした。なお、評価サンプルはレンジフードで、実施例８１と同様のレンジフード部品を用いた。
【０１６４】
（実施例１１４）
調理が終わり、コンロを止めた後のレンジフードの運転を通常より、長時間、ファンを回転させた。このときの運転時間は１０分とした。なお、評価サンプルはレンジフードで、実施例８２と同様のレンジフード部品を用いた。
【０１６５】
（実施例１１５）
調理が終わり、コンロを止めた後のレンジフードの運転を通常より、長時間、ファンを回転させた。このときの運転時間は１０分とした。なお、評価サンプルはレンジフードで、実施例８３と同様のレンジフード部品を用いた。
【０１６６】
（実施例１１６）
調理が終わり、コンロを止めた後のレンジフードの運転を通常より、長時間、ファンを回転させた。このときの運転時間は１０分とした。なお、評価サンプルはレンジフードで、実施例８４と同様のレンジフード部品を用いた。
【０１６７】
（実施例１１７）
調理が終わり、コンロを止めた後のレンジフードの運転を通常より、長時間、ファンを回転させた。このときの運転時間は１０分とした。なお、評価サンプルはレンジフードで、実施例８５と同様のレンジフード部品を用いた。
【０１６８】
（実施例１１８）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様のレンジフード部品を用いた。
【０１６９】
（実施例１１９）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例２と同様のレンジフード部品を用いた。
【０１７０】
（実施例１２０）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例３と同様のレンジフード部品を用いた。
【０１７１】
（実施例１２１）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４と同様のレンジフード部品を用いた。
【０１７２】
（実施例１２２）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例５と同様のレンジフード部品を用いた。
【０１７３】
（実施例１２３）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例６と同様のレンジフード部品を用いた。
【０１７４】
（実施例１２４）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７と同様のレンジフード部品を用いた。
【０１７５】
（実施例１２５）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８と同様のレンジフード部品を用いた。
【０１７６】
（実施例１２６）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例９と同様のレンジフード部品を用いた。
【０１７７】
（実施例１２７）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１０と同様のレンジフード部品を用いた。
【０１７８】
（実施例１２８）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様のレンジフード部品を用いた。
【０１７９】
（実施例１２９）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例２と同様のレンジフード部品を用いた。
【０１８０】
（実施例１３０）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例３と同様のレンジフード部品を用いた。
【０１８１】
（実施例１３１）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４と同様のレンジフード部品を用いた。
【０１８２】
（実施例１３２）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例５と同様のレンジフード部品を用いた。
【０１８３】
（実施例１３３）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例６と同様のレンジフード部品を用いた。
【０１８４】
（実施例１３４）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７と同様のレンジフード部品を用いた。
【０１８５】
（実施例１３５）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８と同様のレンジフード部品を用いた。
【０１８６】
（実施例１３６）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例９と同様のレンジフード部品を用いた。
【０１８７】
（実施例１３７）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１０と同様のレンジフード部品を用いた。
【０１８８】
（実施例１３８）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７１（レンジフード部品のケーシングの底部に傾斜（傾斜角：５°）を施した）と同様のレンジフード部品を用いた。
【０１８９】
（実施例１３９）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７２（レンジフード部品のケーシングの底部に傾斜（傾斜角：１０°）を施した）と同様のレンジフード部品を用いた。
【０１９０】
（実施例１４０）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７３（レンジフード部品のケーシングの底部に傾斜（傾斜角：２０°）を施した）と同様のレンジフード部品を用いた。
【０１９１】
（実施例１４１）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７４（レンジフード部品のベルマウスの溝に傾斜（オイルパックへと通ずる穴に向かって、傾斜角：５°）を施した）と同様のレンジフード部品を用いた。
【０１９２】
（実施例１４２）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７５（レンジフード部品のベルマウスの溝に傾斜（オイルパックへと通ずる穴に向かって、傾斜角：１０°）を施した）と同様のレンジフード部品を用いた。
【０１９３】
（実施例１４３）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７６（レンジフード部品のベルマウスの溝に傾斜（オイルパックへと通ずる穴に向かって、傾斜角：２０°）を施した）と同様のレンジフード部品を用いた。
【０１９４】
（実施例１４４）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７７（レンジフード部品のケーシングの底部とベルマウスの溝（オイルパックへと通ずる穴に向かって）に傾斜を施した（傾斜角：ともに５°）と同様のレンジフード部品を用いた。
【０１９５】
（実施例１４５）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７８（レンジフード部品のケーシングの底部とベルマウスの溝（オイルパックへと通ずる穴に向かって）に傾斜を施した（傾斜角：ともに１０°）と同様のレンジフード部品を用いた。
【０１９６】
（実施例１４６）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７９（レンジフード部品のケーシングの底部とベルマウスの溝（オイルパックへと通ずる穴に向かって）に傾斜を施した（傾斜角：ともに２０°）と同様のレンジフード部品を用いた。
【０１９７】
（実施例１４７）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８０（レンジフード部品のケーシングの底部とベルマウスの溝（オイルパックへと通ずる穴に向かって）に傾斜を施した（傾斜角：ケーシングの底部は５°、ベルマウスのは溝（オイルパックへと通ずる穴に向かっての傾斜）は１０°）と同様のレンジフード部品を用いた。
【０１９８】
（実施例１４８）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８１（レンジフード部品のケーシングの底部とベルマウスの溝（オイルパックへと通ずる穴に向かって）に傾斜を施した（傾斜角：ケーシングの底部は５°、ベルマウスのは溝（オイルパックへと通ずる穴に向かっての傾斜）は２０°）と同様のレンジフード部品を用いた。
【０１９９】
（実施例１４９）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８２（レンジフード部品のケーシングの底部とベルマウスの溝（オイルパックへと通ずる穴に向かって）に傾斜を施した（傾斜角：ケーシングの底部は１０°、ベルマウスのは溝（オイルパックへと通ずる穴に向かっての傾斜）は５°）と同様のレンジフード部品を用いた。
【０２００】
（実施例１５０）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８３（レンジフード部品のケーシングの底部とベルマウスの溝（オイルパックへと通ずる穴に向かって）に傾斜を施した（傾斜角：ケーシングの底部は１０°、ベルマウスのは溝（オイルパックへと通ずる穴に向かっての傾斜）は２０°）と同様のレンジフード部品を用いた。
【０２０１】
（実施例１５１）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８４（レンジフード部品のケーシングの底部とベルマウスの溝（オイルパックへと通ずる穴に向かって）に傾斜を施した（傾斜角：ケーシングの底部は２０°、ベルマウスのは溝（オイルパックへと通ずる穴に向かっての傾斜）は５°）と同様のレンジフード部品を用いた。
【０２０２】
（実施例１５２）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例８５（レンジフード部品のケーシングの底部とベルマウスの溝（オイルパックへと通ずる穴に向かって）に傾斜を施した（傾斜角：ケーシングの底部は２０°、ベルマウスのは溝（オイルパックへと通ずる穴に向かっての傾斜）は１０°）と同様のレンジフード部品を用いた。
【０２０３】
（実施例１５３）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７１（レンジフード部品のケーシングの底部に傾斜（傾斜角：５°）を施した）と同様のレンジフード部品を用いた。
【０２０４】
（実施例１５４）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７２（レンジフード部品のケーシングの底部に傾斜（傾斜角：１０°）を施した）と同様のレンジフード部品を用いた。
【０２０５】
（実施例１５５）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例７３（レンジフード部品のケーシングの底部に傾斜（傾斜角：２０°）を施した）と同様のレンジフード部品を用いた。
【０２０６】
（実施例１５６）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７４（レンジフード部品のベルマウスの溝に傾斜（オイルパックへと通ずる穴に向かって、傾斜角：５°）を施した）と同様のレンジフード部品を用いた。
【０２０７】
（実施例１５７）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７５（レンジフード部品のベルマウスの溝に傾斜（オイルパックへと通ずる穴に向かって、傾斜角：１０°）を施した）と同様のレンジフード部品を用いた。
【０２０８】
（実施例１５８）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７６（レンジフード部品のベルマウスの溝に傾斜（オイルパックへと通ずる穴に向かって、傾斜角：２０°）を施した）と同様のレンジフード部品を用いた。
【０２０９】
（実施例１５９）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７７（レンジフード部品のケーシングの底部とベルマウスの溝（オイルパックへと通ずる穴に向かって）に傾斜を施した（傾斜角：ともに５°）と同様のレンジフード部品を用いた。
【０２１０】
（実施例１６０）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７８（レンジフード部品のケーシングの底部とベルマウスの溝（オイルパックへと通ずる穴に向かって）に傾斜を施した（傾斜角：ともに１０°）と同様のレンジフード部品を用いた。
【０２１１】
（実施例１６１）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例７９（レンジフード部品のケーシングの底部とベルマウスの溝（オイルパックへと通ずる穴に向かって）に傾斜を施した（傾斜角：ともに２０°）と同様のレンジフード部品を用いた。
【０２１２】
（実施例１６２）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８０（レンジフード部品のケーシングの底部とベルマウスの溝（オイルパックへと通ずる穴に向かって）に傾斜を施した（傾斜角：ケーシングの底部は５°、ベルマウスのは溝（オイルパックへと通ずる穴に向かっての傾斜）は１０°）と同様のレンジフード部品を用いた。
【０２１３】
（実施例１６３）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８１（レンジフード部品のケーシングの底部とベルマウスの溝（オイルパックへと通ずる穴に向かって）に傾斜を施した（傾斜角：ケーシングの底部は５°、ベルマウスのは溝（オイルパックへと通ずる穴に向かっての傾斜）は２０°）と同様のレンジフード部品を用いた。
【０２１４】
（実施例１６４）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８２（レンジフード部品のケーシングの底部とベルマウスの溝（オイルパックへと通ずる穴に向かって）に傾斜を施した（傾斜角：ケーシングの底部は１０°、ベルマウスのは溝（オイルパックへと通ずる穴に向かっての傾斜）は５°）と同様のレンジフード部品を用いた。
【０２１５】
（実施例１６５）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８３（レンジフード部品のケーシングの底部とベルマウスの溝（オイルパックへと通ずる穴に向かって）に傾斜を施した（傾斜角：ケーシングの底部は１０°、ベルマウスのは溝（オイルパックへと通ずる穴に向かっての傾斜）は２０°）と同様のレンジフード部品を用いた。
【０２１６】
（実施例１６６）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８４（レンジフード部品のケーシングの底部とベルマウスの溝（オイルパックへと通ずる穴に向かって）に傾斜を施した（傾斜角：ケーシングの底部は２０°、ベルマウスのは溝（オイルパックへと通ずる穴に向かっての傾斜）は５°）と同様のレンジフード部品を用いた。
【０２１７】
（実施例１６７）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例８５（レンジフード部品のケーシングの底部とベルマウスの溝（オイルパックへと通ずる穴に向かって）に傾斜を施した（傾斜角：ケーシングの底部は２０°、ベルマウスのは溝（オイルパックへと通ずる穴に向かっての傾斜）は１０°）と同様のレンジフード部品を用いた。
【０２１８】
（実施例１６８）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；５°）を施した。
【０２１９】
（実施例１６９）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；１０°）を施した。
【０２２０】
（実施例１７０）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；２０°）を施した。
【０２２１】
（実施例１７１）
評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；５°）を施した。
【０２２２】
（実施例１７２）
評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；１０°）を施した。
【０２２３】
（実施例１７３）
評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；２０°）を施した。
【０２２４】
（実施例１７４）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに５°）。
【０２２５】
（実施例１７５）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに１０°）。
【０２２６】
（実施例１７６）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに２０°）。
【０２２７】
（実施例１７７）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は５°、ベルマウスのは溝（オイルパックへと通ずる穴に向かっての傾斜）は１０°とした。
【０２２８】
（実施例１７８）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は５°、ベルマウスのは溝（オイルパックへと通ずる穴に向かっての傾斜）は２０°とした。
【０２２９】
（実施例１７９）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は１０°、ベルマウスのは溝（オイルパックへと通ずる穴に向かっての傾斜）は５°とした。
【０２３０】
（実施例１８０）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は１０°、ベルマウスのは溝（オイルパックへと通ずる穴に向かっての傾斜）は２０°とした。
【０２３１】
（実施例１８１）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は２０°、ベルマウスのは溝（オイルパックへと通ずる穴に向かっての傾斜）は５°とした。
【０２３２】
（実施例１８２）
評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は２０°、ベルマウスのは溝（オイルパックへと通ずる穴に向かっての傾斜）は１０°とした。
【０２３３】
（実施例１８３）
調理が終わり、コンロを止めた後のレンジフードの運転を通常より、長時間、ファンを回転させた。このときの運転時間は５分とした。なお、評価サンプルはレンジフードで、実施例４１と同様のレンジフード部品を用いた。
【０２３４】
（実施例１８４）
調理が終わり、コンロを止めた後のレンジフードの運転を通常より、長時間、ファンを回転させた。このときの運転時間は１０分とした。なお、評価サンプルはレンジフードで、実施例４１と同様のレンジフード部品を用いた。
【０２３５】
（実施例１８５）
調理が終わり、コンロを止めた後のレンジフードの運転を通常より、長時間、ファンを回転させた。このときの運転時間は５分とした。なお、評価サンプルはレンジフードで、実施例１６８と同様のレンジフード部品を用いた。
【０２３６】
（実施例１８６）
調理が終わり、コンロを止めた後のレンジフードの運転を通常より、長時間、ファンを回転させた。このときの運転時間は５分とした。なお、評価サンプルはレンジフードで、実施例１６９と同様のレンジフード部品を用いた。
【０２３７】
（実施例１８７）
調理が終わり、コンロを止めた後のレンジフードの運転を通常より、長時間、ファンを回転させた。このときの運転時間は５分とした。なお、評価サンプルはレンジフードで、実施例１７０と同様のレンジフード部品を用いた。
【０２３８】
（実施例１８８）
調理が終わり、コンロを止めた後のレンジフードの運転を通常より、長時間、ファンを回転させた。このときの運転時間は５分とした。なお、評価サンプルはレンジフードで、実施例１７１と同様のレンジフード部品を用いた。
【０２３９】
（実施例１８９）
調理が終わり、コンロを止めた後のレンジフードの運転を通常より、長時間、ファンを回転させた。このときの運転時間は５分とした。なお、評価サンプルはレンジフードで、実施例１７２と同様のレンジフード部品を用いた。
【０２４０】
（実施例１９０）
調理が終わり、コンロを止めた後のレンジフードの運転を通常より、長時間、ファンを回転させた。このときの運転時間は５分とした。なお、評価サンプルはレンジフードで、実施例１７３と同様のレンジフード部品を用いた。
【０２４１】
（実施例１９１）
調理が終わり、コンロを止めた後のレンジフードの運転を通常より、長時間、ファンを回転させた。このときの運転時間は５分とした。なお、評価サンプルはレンジフードで、実施例１７４と同様のレンジフード部品を用いた。
【０２４２】
（実施例１９２）
調理が終わり、コンロを止めた後のレンジフードの運転を通常より、長時間、ファンを回転させた。このときの運転時間は５分とした。なお、評価サンプルはレンジフードで、実施例１７５と同様のレンジフード部品を用いた。
【０２４３】
（実施例１９３）
調理が終わり、コンロを止めた後のレンジフードの運転を通常より、長時間、ファンを回転させた。このときの運転時間は５分とした。なお、評価サンプルはレンジフードで、実施例１７６と同様のレンジフード部品を用いた。
【０２４４】
（実施例１９４）
調理が終わり、コンロを止めた後のレンジフードの運転を通常より、長時間、ファンを回転させた。このときの運転時間は５分とした。なお、評価サンプルはレンジフードで、実施例１７７と同様のレンジフード部品を用いた。
【０２４５】
（実施例１９５）
調理が終わり、コンロを止めた後のレンジフードの運転を通常より、長時間、ファンを回転させた。このときの運転時間は５分とした。なお、評価サンプルはレンジフードで、実施例１７８と同様のレンジフード部品を用いた。
【０２４６】
（実施例１９６）
調理が終わり、コンロを止めた後のレンジフードの運転を通常より、長時間、ファンを回転させた。このときの運転時間は５分とした。なお、評価サンプルはレンジフードで、実施例１７９と同様のレンジフード部品を用いた。
【０２４７】
（実施例１９７）
調理が終わり、コンロを止めた後のレンジフードの運転を通常より、長時間、ファンを回転させた。このときの運転時間は５分とした。なお、評価サンプルはレンジフードで、実施例１８０と同様のレンジフード部品を用いた。
【０２４８】
（実施例１９８）
調理が終わり、コンロを止めた後のレンジフードの運転を通常より、長時間、ファンを回転させた。このときの運転時間は５分とした。なお、評価サンプルはレンジフードで、実施例１８１と同様のレンジフード部品を用いた。
【０２４９】
（実施例１９９）
調理が終わり、コンロを止めた後のレンジフードの運転を通常より、長時間、ファンを回転させた。このときの運転時間は５分とした。なお、評価サンプルはレンジフードで、実施例１８２と同様のレンジフード部品を用いた。
【０２５０】
（実施例２００）
調理が終わり、コンロを止めた後のレンジフードの運転を通常より、長時間、ファンを回転させた。このときの運転時間は１０分とした。なお、評価サンプルはレンジフードで、実施例１６８と同様のレンジフード部品を用いた。
【０２５１】
（実施例２０１）
調理が終わり、コンロを止めた後のレンジフードの運転を通常より、長時間、ファンを回転させた。このときの運転時間は１０分とした。なお、評価サンプルはレンジフードで、実施例１６９と同様のレンジフード部品を用いた。
【０２５２】
（実施例２０２）
調理が終わり、コンロを止めた後のレンジフードの運転を通常より、長時間、ファンを回転させた。このときの運転時間は１０分とした。なお、評価サンプルはレンジフードで、実施例１７０と同様のレンジフード部品を用いた。
【０２５３】
（実施例２０３）
調理が終わり、コンロを止めた後のレンジフードの運転を通常より、長時間、ファンを回転させた。このときの運転時間は１０分とした。なお、評価サンプルはレンジフードで、実施例１７１と同様のレンジフード部品を用いた。
【０２５４】
（実施例２０４）
調理が終わり、コンロを止めた後のレンジフードの運転を通常より、長時間、ファンを回転させた。このときの運転時間は１０分とした。なお、評価サンプルはレンジフードで、実施例１７２と同様のレンジフード部品を用いた。
【０２５５】
（実施例２０５）
調理が終わり、コンロを止めた後のレンジフードの運転を通常より、長時間、ファンを回転させた。このときの運転時間は１０分とした。なお、評価サンプルはレンジフードで、実施例１７３と同様のレンジフード部品を用いた。
【０２５６】
（実施例２０６）
調理が終わり、コンロを止めた後のレンジフードの運転を通常より、長時間、ファンを回転させた。このときの運転時間は１０分とした。なお、評価サンプルはレンジフードで、実施例１７４と同様のレンジフード部品を用いた。
【０２５７】
（実施例２０７）
調理が終わり、コンロを止めた後のレンジフードの運転を通常より、長時間、ファンを回転させた。このときの運転時間は１０分とした。なお、評価サンプルはレンジフードで、実施例１７５と同様のレンジフード部品を用いた。
【０２５８】
（実施例２０８）
調理が終わり、コンロを止めた後のレンジフードの運転を通常より、長時間、ファンを回転させた。このときの運転時間は１０分とした。なお、評価サンプルはレンジフードで、実施例１７６と同様のレンジフード部品を用いた。
【０２５９】
（実施例２０９）
調理が終わり、コンロを止めた後のレンジフードの運転を通常より、長時間、ファンを回転させた。このときの運転時間は１０分とした。なお、評価サンプルはレンジフードで、実施例１７７と同様のレンジフード部品を用いた。
【０２６０】
（実施例２１０）
調理が終わり、コンロを止めた後のレンジフードの運転を通常より、長時間、ファンを回転させた。このときの運転時間は１０分とした。なお、評価サンプルはレンジフードで、実施例１７８と同様のレンジフード部品を用いた。
【０２６１】
（実施例２１１）
調理が終わり、コンロを止めた後のレンジフードの運転を通常より、長時間、ファンを回転させた。このときの運転時間は１０分とした。なお、評価サンプルはレンジフードで、実施例１７９と同様のレンジフード部品を用いた。
【０２６２】
（実施例２１２）
調理が終わり、コンロを止めた後のレンジフードの運転を通常より、長時間、ファンを回転させた。このときの運転時間は１０分とした。なお、評価サンプルはレンジフードで、実施例１８０と同様のレンジフード部品を用いた。
【０２６３】
（実施例２１３）
調理が終わり、コンロを止めた後のレンジフードの運転を通常より、長時間、ファンを回転させた。このときの運転時間は１０分とした。なお、評価サンプルはレンジフードで、実施例１８１と同様のレンジフード部品を用いた。
【０２６４】
（実施例２１４）
調理が終わり、コンロを止めた後のレンジフードの運転を通常より、長時間、ファンを回転させた。このときの運転時間は１０分とした。なお、評価サンプルはレンジフードで、実施例１８２と同様のレンジフード部品を用いた。
【０２６５】
（実施例２１５）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４１と同様のレンジフード部品を用いた。
【０２６６】
（実施例２１６）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４２と同様のレンジフード部品を用いた。
【０２６７】
（実施例２１７）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４３と同様のレンジフード部品を用いた。
【０２６８】
（実施例２１８）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４４と同様のレンジフード部品を用いた。
【０２６９】
（実施例２１９）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４５と同様のレンジフード部品を用いた。
【０２７０】
（実施例２２０）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４６と同様のレンジフード部品を用いた。
【０２７１】
（実施例２２１）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４７と同様のレンジフード部品を用いた。
【０２７２】
（実施例２２２）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４８と同様のレンジフード部品を用いた。
【０２７３】
（実施例２２３）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例４９と同様のレンジフード部品を用いた。
【０２７４】
（実施例２２４）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例５０と同様のレンジフード部品を用いた。
【０２７５】
（実施例２２５）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４１と同様のレンジフード部品を用いた。
【０２７６】
（実施例２２６）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４２と同様のレンジフード部品を用いた。
【０２７７】
（実施例２２７）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４３と同様のレンジフード部品を用いた。
【０２７８】
（実施例２２８）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４４と同様のレンジフード部品を用いた。
【０２７９】
（実施例２２９）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４５と同様のレンジフード部品を用いた。
【０２８０】
（実施例２３０）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４６と同様のレンジフード部品を用いた。
【０２８１】
（実施例２３１）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４７と同様のレンジフード部品を用いた。
【０２８２】
（実施例２３２）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４８と同様のレンジフード部品を用いた。
【０２８３】
（実施例２３３）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例４９と同様のレンジフード部品を用いた。
【０２８４】
（実施例２３４）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例５０と同様のレンジフード部品を用いた。
【０２８５】
（実施例２３５）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；５°）を施した。
【０２８６】
（実施例２３６）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；１０°）を施した。
【０２８７】
（実施例２３７）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；２０°）を施した。
【０２８８】
（実施例２３８）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；５°）を施した。
【０２８９】
（実施例２３９）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；１０°）を施した。
【０２９０】
（実施例２４０）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；２０°）を施した。
【０２９１】
（実施例２４１）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに５°）。
【０２９２】
（実施例２４２）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに１０°）。
【０２９３】
（実施例２４３）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに２０°）。
【０２９４】
（実施例２４４）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は５°、ベルマウスのは溝（オイルパックへと通ずる穴に向かっての傾斜）は１０°とした。
【０２９５】
（実施例２４５）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は５°、ベルマウスのは溝（オイルパックへと通ずる穴に向かっての傾斜）は２０°とした。
【０２９６】
（実施例２４６）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は１０°、ベルマウスのは溝（オイルパックへと通ずる穴に向かっての傾斜）は５°とした。
【０２９７】
（実施例２４７）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は１０°、ベルマウスのは溝（オイルパックへと通ずる穴に向かっての傾斜）は２０°とした。
【０２９８】
（実施例２４８）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は２０°、ベルマウスのは溝（オイルパックへと通ずる穴に向かっての傾斜）は５°とした。
【０２９９】
（実施例２４９）
調理が終わり、コンロを止めた後のレンジフードの運転を通常より、長時間、ファンを回転させる際にファンの回転を通常運転より高速運転させる。このときの運転時間は５分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は２０°、ベルマウスのは溝（オイルパックへと通ずる穴に向かっての傾斜）は１０°とした。
【０３００】
（実施例２５０）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；５°）を施した。  
【０３０１】
（実施例２５１）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；１０°）を施した。
【０３０２】
（実施例２５２）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部に傾斜（傾斜角；２０°）を施した。
【０３０３】
（実施例２５３）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；５°）を施した。
【０３０４】
（実施例２５４）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；１０°）を施した。
【０３０５】
（実施例２５５）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ベルマウスの溝にオイルパックへと通ずる穴に向かって傾斜（傾斜角；２０°）を施した。
【０３０６】
（実施例２５６）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに５°）。
【０３０７】
（実施例２５７）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに１０°）。
【０３０８】
（実施例２５８）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した（傾斜角；ケーシングの底部とベルマウスの溝（オイルパックへと通ずる穴に向かっての傾斜）ともに２０°）。
【０３０９】
（実施例２５９）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は５°、ベルマウスのは溝（オイルパックへと通ずる穴に向かっての傾斜）は１０°とした。
【０３１０】
（実施例２６０）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は５°、ベルマウスのは溝（オイルパックへと通ずる穴に向かっての傾斜）は２０°とした。
【０３１１】
（実施例２６１）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は１０°、ベルマウスのは溝（オイルパックへと通ずる穴に向かっての傾斜）は５°とした。
【０３１２】
（実施例２６２）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は１０°、ベルマウスのは溝（オイルパックへと通ずる穴に向かっての傾斜）は２０°とした。
【０３１３】
（実施例２６３）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は２０°、ベルマウスのは溝（オイルパックへと通ずる穴に向かっての傾斜）は５°とした。
【０３１４】
（実施例２６４）
調理が終わり、コンロを止めた後のレンジフードの運転を通常より、長時間、ファンを回転させる際にファンの回転を通常運転より高速運転させる。このときの運転時間は１０分とした。なお、評価サンプルはレンジフードで、実施例１と同様の油の滑落性に優れた樹脂で被覆するレンジフード部品はケーシング、ベルマウスとし、ファンはフッ素塗装を施したものを用いた。また、ケーシングの底部とベルマウスの溝にオイルパックへと通ずる穴に向かって傾斜を施した。このときの傾斜角はケーシングの底部は２０°、ベルマウスのは溝（オイルパックへと通ずる穴に向かっての傾斜）は１０°とした。
【０３１５】
（比較例１）
評価サンプル基材として、実施例１と同様に、テストピースとレンジフードを用いた。テストピース（サイズ：１００×１００×ｔ１mm）はレンジフード部品を想定した、亜鉛めっき鋼板を用いて評価を行った。レンジフードはＴＯＴＯ（株）製のスーパークリーンフード（品番：ＫＬＫＲ１９０ＳＡＢ）を用いた。レンジフード部品基材にはフッ素塗装は施しておらず、亜鉛めっき鋼板基材の部品を用いた。
【０３１６】
樹脂として、実施例１と同様に、水酸基を有するアクリルシリコーン樹脂（固形分４５重量％）を用いた。
【０３１７】
架橋剤として、３官能ヘキサメチレンジイソシアネート系架橋剤（固形分１００％）を用いた。すなわち、官能基数が分子構造上に３であることから官能基数は３つであり、架橋剤全体平均においても官能基数は３となる。
【０３１８】
酢酸ブチルにて希釈した上記樹脂に、上記３官能ヘキサメチレンジイソシアネート系架橋剤を樹脂固形分に対する架橋剤固形分の比で０．４３添加し、攪拌機を用いて攪拌混合した。得られた溶液を上記サンプル基材上にスプレー塗装法にて塗布し、室温で乾燥させた後、１２０℃で３０分熱処理を行い複合材サンプルを得た。
【０３１９】
（比較例２）
架橋剤の添加量を樹脂固形分に対する架橋剤固形分の比で０．２１にした以外は比較例１と同様にして複合材サンプルを得た。
【０３２０】
（比較例３）
架橋剤の添加量を樹脂固形分に対する架橋剤固形分の比で０．８６にした以外は比較例１と同様にして複合材サンプルを得た。
【０３２１】
（比較例４）
ＴＯＴＯ（株）製のスーパークリーンフード（品番：ＫＬＫＲ１９０ＳＡＢ）部品に塗装しているフッ素塗装鋼板をテストピースとし、フッ素塗装したレンジフード部品をサンプルとして用いた。
【０３２２】
（比較例５）
評価サンプルはレンジフードで、比較例１と同様の樹脂で被覆するレンジフード部品はケーシング、ベルマウスとし、ファンはＴＯＴＯ（株）製のスーパークリーンフード（品番：ＫＬＫＲ１９０ＳＡＢ）部品に塗装しているフッ素塗装を施したものを用いた。（以下、フッ素塗装は同じである。）
【０３２３】
（比較例６）
評価サンプルはレンジフードで、比較例２と同様の樹脂で被覆するレンジフード部品はケーシング、ベルマウスとし、ファンはフッ素塗装を施したものを用いた。
【０３２４】
（比較例７）
評価サンプルはレンジフードで、比較例３と同様の樹脂で被覆するレンジフード部品はケーシング、ベルマウスとし、ファンはフッ素塗装を施したものを用いた。
【０３２５】
（比較例８）
評価サンプルはレンジフードで、比較例４と同様のフッ素塗装したレンジフード部品はケーシング、ベルマウスとし、ファンは未塗装の亜鉛めっき鋼板をそのまま用いた。
【０３２６】
（評価結果）
表２に示すフード内油付着性の評価は以下とした。
判定基準；◎：ほとんど油汚れは付着していない。
【０３２７】
○：油汚れの付着は少ない。
×：油汚れの付着が目立つ。
総合評価；      油捕集率                        フード内の油の付着性（○、◎の数）
５    ６０％以上                および          ３個
４    ５０％以上６０％未満      および          ２個以上
３    ４５％以上５０％未満      および          １個以上
２    ４２．５％以上４５％未満  および          １個以上
１    ４２．５％未満            および          ０個
【０３２８】
【表２−１】
2010025392.tif 000004
【０３２９】
【表２−２】
2010025392.tif 000005
【０３３０】
【表２−３】
2010025392.tif 000006
【０３３１】
【表２−４】
2010025392.tif 000007
【０３３２】
【表２−５】
2010025392.tif 000008
【０３３３】
【表２−６】
2010025392.tif 000009
【０３３４】
【表２−７】
2010025392.tif 000010
【０３３５】
【表２−８】
2010025392.tif 000011
【０３３６】
【表２−９】
2010025392.tif 000012
【０３３７】
【表２−１０】
2010025392.tif 000013
【０３３８】
【表２−１１】
2010025392.tif 000014
【０３３９】
【表２−１２】
2010025392.tif 000015
【０３４０】
【表２−１３】
2010025392.tif 000016
【０３４１】
【表２−１４】
2010025392.tif 000017
【０３４２】
【表２−１５】
2010025392.tif 000018
【０３４３】
【表２−１６】
2010025392.tif 000019
【０３４４】
【表２−１７】
2010025392.tif 000020
【０３４５】
【表２−１８】
2010025392.tif 000021
【０３４６】
【表２−１９】
2010025392.tif 000022
【０３４７】
【表２−２０】
2010025392.tif 000023
【０３４８】
【表２−２１】
2010025392.tif 000024
【０３４９】
【表２−２２】
2010025392.tif 000025
【０３５０】
【表２−２３】
2010025392.tif 000026
【０３５１】
【表２−２４】
2010025392.tif 000027
【０３５２】
【表２−２５】
2010025392.tif 000028
【０３５３】
【表２−２６】
2010025392.tif 000029
【０３５４】
【表２−２７】
2010025392.tif 000030
【０３５５】
【表２−２８】
2010025392.tif 000031
【０３５６】
【表２−２９】
2010025392.tif 000032
【０３５７】
【表２−３０】
2010025392.tif 000033
【０３５８】
【表２−３１】
2010025392.tif 000034
【０３５９】
【表２−３２】
2010025392.tif 000035
【０３６０】
【表２−３３】
2010025392.tif 000036
【０３６１】
【表２−３４】
2010025392.tif 000037
【０３６２】
【表２−３５】
2010025392.tif 000038
【０３６３】
【表２−３６】
2010025392.tif 000039
【０３６４】
【表２−３７】
2010025392.tif 000040
【０３６５】
【表２−３８】
2010025392.tif 000041
【０３６６】
【表２−３９】
2010025392.tif 000042
【０３６７】
【表２−４０】
2010025392.tif 000043
【０３６８】
【表２−４１】
2010025392.tif 000044
【０３６９】
表２に示すように、実施例１〜１０ではテストピースの油の滑落角（後退部滑落角）は１０°以下と低い角度で油が滑落するのに対し、比較例１〜４は油の滑落角（後退部滑落角）は比較的高い値となっている。また、レンジフードを用いてのBLのフィルターの油捕集試験に準拠したレンジフード油捕集試験ではファン、ケーシング、ベルマウスに油の滑落性に優れた樹脂で被覆することで５０％以上の高いオイルパック油捕集率となっているのに対し、比較例１〜８はオイルパック油捕集率が４０％程度にとどまっている。フード内油付着性も同様に油汚れの付着は少ないのに対し、比較例１〜８は油汚れの付着も目立つ結果となっている。
【０３７０】
ただし、ファンのみ、ケーシングのみ、ベルマウスのみや３つの部品のうちの２つだけの被覆ではオイルパック油捕集率やフード内油付着性はファン、ケーシング、ベルマウス全てに被覆したケースに比べ少し低下してしまう。それでも油の滑落性に優れた樹脂で被覆した部品は油付着量は少なく、清掃し易い結果となっている。
【０３７１】
また、ファン、ケーシング、ベルマウスのうち、ケーシング、ベルマウスに油の滑落性に優れた樹脂で被覆した場合もオイルパック油捕集率は比較的高い。これは油のオイルパックへの捕集がファン、ケーシング、ベルマウスのうち、特にケーシング、ベルマウスが油の流路にあたる部材なのでこれらに油の滑落性に優れた樹脂で被覆することでオイルパック油捕集率を向上させている。
【０３７２】
実施例１〜２６４の中でも特に、実施例７１〜２６３はレンジフード部品基材への被覆部形成のみでなく、ケーシング底部の傾斜を付けたり、ベルマウスの溝（オイルパックへと通ずる穴に向かって）の傾斜を現状よりさらに傾斜を付けたり、調理が終わり、コンロを止めた後のレンジフードの運転を通常より、長時間、ファンを回転させ、その際のファンの回転をさらに高速回転させることによってオイルパック油捕集率は向上し、フード内油付着性も油汚れはほとんど付着していなかった。
【図面の簡単な説明】
【０３７３】
【図１】本発明の一態様であるレンジフードの構造を示す図である。
【図２】本発明の一態様であるレンジフードの油煙の吸引からオイルパックへの油の回              収のメカニズムを示す図である。
【図３】本発明の一態様であるレンジフードの図である。
【図４】本発明の一態様であるレンジフード部品のベルマウスの図である。
【図５】本発明の一態様であるレンジフード部品の被覆部の構造を示す図である。
【図６】本発明の一態様であるレンジフードの図である。
【符号の説明】
【０３７４】
１…オイルパック
２…シロッコファン
３…ケーシング
４…ベルマウス
５…ケーシングの底部
６…ベルマウスの溝
７…亜鉛めっき鋼板
８…被覆部
９…整流板
１０…レンジフード
【図１】
2010025392.tif 000045
【図２】
2010025392.tif 000046
【図３】
2010025392.tif 000047
【図４】
2010025392.tif 000048
【図５】
2010025392.tif 000049
【図６】
2010025392.tif 000050